(57)【要約】【課題】電力供給分配装置を提供する。【解決手段】一実施形態において、少なくとも１つの細長い導体（４１２６、４１２８）を内蔵した導管を含む、改善された電力供給分配装置が開示される。導管は、導体（４１２６、４１２８）と電気接続するようにコネクタを挿通することができる開口部（４１５４）を有する。この改善は、開口部（４１５４）と導体（４１２６、４１２８）の間に配置された複数の伝導性部材（５１００）と、複数の弾性支持部材（５２００）との使用に関連しているため、各伝導性部材（５１００）は対応する支持部材（５２００）によって別個に支持され、導体へのアクセスをもたらすべくコネクタによって変位することが可能である。さらに、電力供給分配装置とともに使用する、改善された電源コネクタも開示される。【選択図】      図１７
2007503088.tif 000002
【特許請求の範囲】
【請求項１】
少なくとも１つの細長い導体を含む導管を備え、この導体と電気接続させるようにコネクタが挿通され得る開口部を有する導管と、
前記開口部と前記導体の間に配置され、各々が、前記導体へのアクセスをもたらすために、前記コネクタによって別個に支持され、弾性的に変位可能である複数の伝導性部材と具備する電力供給分配装置。
【請求項２】
弾性の複数の支持部材をさらに具備する、請求項１に記載の電力供給分配装置。
【請求項３】
前記伝導性部材の各々は、対応する支持部材によって弾性的に支持されている、請求項２に記載の電力供給分配装置。
【請求項４】
前記支持部材の各々は、前記伝導性部材を前記開口部に向けて弾性的に付勢する、請求項２または３に記載の電力供給分配装置。
【請求項５】
前記伝導性部材の各々は、前記支持部材と係合したシート状の面と側部とを有する、請求項２ないし４のいずれか１項に記載の電力供給分配装置。
【請求項６】
２つの対向した側部をさらに具備する、請求項５に記載の電力供給分配装置。
【請求項７】
前記部分または前記部分の各々は、翼付き形式である、請求項５または６に記載の電力供給分配装置。
【請求項８】
前記支持部材の各々は、前記伝導性部材の前記翼付き部分に対応した側部を有する、請求項７に記載の電力供給分配装置。
【請求項９】
前記支持部材の各々は、前記支持部分に接続された基部と前記伝導性部材とを支持するための支持部分をさらに備え、この支持部分は、基部に向けて弾性的に変位可能である、前記全ての請求項のいずれか１項に記載の電力供給分配装置。
【請求項１０】
前記支持部材は、前記基部に向かって延びた弾性部分を有する、請求項９に記載の電力供給分配装置。
【請求項１１】
前記支持部材は、前記基部に向かって延びた更なる弾性部分をさらに備える、請求項１０に記載の電力供給分配装置。
【請求項１２】
前記弾性部分または前記弾性部分の各々は、中央空隙を有する、請求項１０または１１に記載の電力供給分配装置。
【請求項１３】
前記弾性部分または前記弾性部分の各々は、前記基部に向いた窪みを有する、請求項１０ないし１２のいずれか１項に記載の電力供給分配装置。
【請求項１４】
前記基部は、前記窪みと係合するよう配置された当接面を有する、請求項１３に記載の電力供給分配装置。
【請求項１５】
前記弾性部分は楕円形である、請求項１０ないし１４のいずれか１項に記載の電力供給分配装置。
【請求項１６】
前記支持部材は、プラスチック材料により形成されている、請求項２ないし１５のいずれか１項に記載の電力供給分配装置。
【請求項１７】
前記支持部材は、支持部材を同様な支持部材と整列させる整列手段を備える、請求項２ないし１６のいずれか１項に記載の電力供給分配装置。
【請求項１８】
前記整列手段は、ラグと、これに対応する、同様な支持部材のラグを受け入れるためのスロットとの形式である、請求項１７に記載の電力供給分配装置。
【請求項１９】
前記支持部材は、前記伝導性部材と接続するための手段を含む、請求項２ないし１８のいずれか１項に記載の電力供給分配装置。
【請求項２０】
前記接続手段は、爪の形式である、請求項１９に記載の電力供給分配装置。
【請求項２１】
前記伝導性部材は、前記支持部材と接続するための手段を含む、請求項２ないし２０のいずれか１項に記載の電力供給分配装置。
【請求項２２】
前記接続手段は、クリップ形式である、請求項２１に記載の電力供給分配装置。
【請求項２３】
前記複数の支持部材を受け入れるための１つの細長いトレイをさらに具備する、請求項２ないし２２のいずれか１項に記載の電力供給分配装置。
【請求項２４】
前記トレイは、伝導性材料により形成されている、請求項２３に記載の電力供給分配装置。
【請求項２５】
前記トレイは、前記伝導性要素の各々と電気接続可能である、請求項２４に記載の電力供給分配装置。
【請求項２６】
前記トレイは、互いに離間した複数の弧状片を備え、これら弧状片の各々は、前記支持部材のスロット内に位置するよう配置されている、請求項２３ないし２５のいずれか１項に記載の電力供給分配装置。
【請求項２７】
前記伝導性部材は、前記開口部を遮蔽する、前記全ての請求項のいずれか１項に記載の電力供給分配装置。
【請求項２８】
前記伝導性部材は、前記開口部を密封する、前記全ての請求項のいずれか１項に記載の電力供給分配装置。
【請求項２９】
前記伝導性部材は、アースコネクタを形成する、前記全ての請求項のいずれか１項に記載の電力供給分配装置。
【請求項３０】
前記複数の伝導性要素は、互いに離間している、前記全ての請求項のいずれか１項に記載の電力供給分配装置。
【請求項３１】
請求項２ないし３０のいずれか１項に記載の前記電力供給分配装置内で使用するための、支持部材。
【請求項３２】
前記伝導性部材の各々は、当接面と、この当接面から延びた２本の側部脚とを含み、これら側部脚は、前記当接面を弾性的に支持している、請求項１に記載の電力供給分配装置。
【請求項３３】
前記当接面は、スチールキャップの形式である、請求項３２に記載の電力供給分配装置。
【請求項３４】
前記側部脚は、弧状である、請求項３２に記載の電力供給分配装置。
【請求項３５】
前記複数の伝導性部材を受け入れるための１つの細長いトレイをさらに具備する、請求項３２に記載の電力供給分配装置。
【請求項３６】
前記伝導性部材の前記側部脚は、前記細長いトレイに形成された対応するスロット内に受け入れられるよう配置されたラグを有する、請求項３５に記載の電力供給分配装置。
【請求項３７】
電気コネクタであって、
電力の入口を提供するために、電力供給分配装置の対応する導体と係合するよう配置された第１および第２電気接点を具備し、これら接点は、前記導体から係合解除されるように前記接点が位置される第１位置と、前記導体と係合するように前記接点が位置される第２位置との間で回転可能なアームの、対向する両端部に配置され、
更に、電力の出口を提供するよう配置された接続部材と、
前記アームの回転に応じて、前記接点の１つを前記接続部材と接続または切断するように動作可能な切り換え装置とをさらに備える、電気コネクタ。
【請求項３８】
前記接点を前記接続部材に対して接続または切断するように前記切り換え装置を作動させるように、前記アームの回転に応じて回転可能な作動部材をさらに具備する、請求項３７に記載の電気コネクタ。
【請求項３９】
前記作動部材は、前記アームが前記第２位置へ回転した後に、前記接点を前記接続部材に接続させるように前記切り換え装置を作動させるよう配置されている、請求項３８に記載の電気コネクタ。
【請求項４０】
前記作動部材は、前記アームが前記第１位置へ回転される前に、前記接点を前記接続部材から切断させるように前記切り換え装置を作動させるよう配置されている、請求項３８または３９に記載の電気コネクタ。
【請求項４１】
前記切り換え装置は、レバーを備え、このレバーは、前記接点を前記接続部材から電気的に切断させるように前記レバーが位置される第１位置と、前記接点を前記接続部材と電気的に接続させるように前記レバーが位置される第２位置との間で移動可能である、請求項３７ないし４０のいずれか１項に記載の電気コネクタ。
【請求項４２】
前記切り換え装置は、さらに、前記レバーを前記２つの位置の間で移動させる移動手段を備え、この移動手段は、前記作動部材によって作動される、請求項４１に記載の電気コネクタ。
【請求項４３】
前記移動手段は、
プランジャと、このプランジャに接続された揺動アームとを有し、前記プランジャは、前記レバーと結合し、前記揺動アームの移動に応じて前記レバーを前記２つの位置の間で強制的に移動させるよう配置され、また、前記揺動アームは、前記作動部材によって作動されるよう配置されている、請求項４２に記載の電気コネクタ。
【請求項４４】
前記アームが前記第１位置にあるときに、音声を生成する手段をさらに具備する、請求項３７ないし４３のいずれか１項に記載の電気コネクタ。
【請求項４５】
前記アームが前記第２位置にあるときに、音声を生成する手段をさらに具備する、請求項３７ないし４４のいずれか１項に記載の電気コネクタ。
【請求項４６】
前記接続部材は、電気プラグの雄部材を受け入れるよう配置された雌部材の形式である、請求項３７ないし４５のいずれか１項に記載の電気コネクタ。
【請求項４７】
前記接続部材は、電気ワイヤに接続されるよう配置されている、請求項３７ないし４５のいずれか１項に記載の電気コネクタ。
【請求項４８】
前記接点は、前記２つの分離したアームに配置されている、請求項３７ないし４７のいずれか１項に記載の電気コネクタ。
【請求項４９】
電力の入口を提供するように電力供給分配装置の対応する導体と係合するよう配置された、第１および第２電気接点を具備し、これら接点は、前記導体から係合解除されるようこれら接点が位置される第１位置と、前記導体と係合するようこれら接点が位置される第２位置との間で回転可能なアームの、対向する両端に配置され、
さらに、電力の出口を提供するように配置された接続部材と、
前記接点が前記電力供給分配装置の対応する導体と係合した後に、前記接点の１つを前記接続部材に接続させるように動作可能な切り換え装置とを具備する、電気コネクタ。
【請求項５０】
電力の入口を提供するために、電力供給分配装置の対応する導体と係合するよう配置された、第１および第２電気接点と、
電力の出口を提供するよう配置された接続部材と、
前記接点が、前記電力供給分配装置の対応する導体と係合した後に、前記接点の１つを前記接続部材に接続させるように動作可能な切り換え装置とを具備する、電気コネクタ。
【発明の詳細な説明】
【技術分野】
【０００１】
本発明は、電力供給分配装置、特にね１つのコンセントへの電力の供給を可能にする装置の改良に関する。
【背景技術】
【０００２】
家庭および商業環境における従来電力供給分配装置は、所定の箇所で壁部空洞または表面取付け電力引出口に装着されるコンセントにより設けられる。このようなコンセントの位置は、予め選択される必要があり、しばしば、その後に必要とすることは、コンセントが間違った位置および／または不十分な数で設けられていることを示すことである。
【０００３】
同時係属のＰＣＴ出願第ＰＣＴ／ＳＧ０３／００１００号には融通性のある電力供給分配装置が開示されており、また、本発明の目的は、さらに融通性のある電力供給分配装置への改良をもたらすことである。
【発明の開示】
【発明が解決しようとする課題】
【０００４】
【課題を解決するための手段】
【０００５】
本発明の第１の態様によれば、少なくとも１つの細長い導体を含む導管を備え、導管は、導体と電気接続させるためのコネクタを挿通できる開口部を有し、開口部と導体の間に配置された複数の伝導性部材をさらに備え、伝導性部材の各々は、導体へのアクセスをもたらすために、上記コネクタによって別個に支持され、弾性的に変位可能である電力供給分配装置が提供される。
【０００６】
伝導性部材が別個に支持されていることで、各伝導性部材をコネクタによって独立的に変位できるようになる。かくして、組立てと変位が容易に行えるモジュール式の伝導性部材が得られる。
【０００７】
この装置はさらに、各伝導性部材を弾性支持部材によって別個に支持できるように、複数の弾性支持部材を備えることが好ましい。
【０００８】
伝導性部材は、アースコネクタを形成しており、支持部材によって、開口部に向け、および／または開口部を遮蔽し、および／または開口部を密封することで弾性的に付勢され、この装置は、開口部用の変位可能なフラップを伝導性部材の上に備えることが好ましい。
【０００９】
複数の伝導性要素は相互から離間していることが好ましい。伝導性部材は、支持部材と係合するシート状面および側部を有することができる。伝導性部材は２つの対向した側部をさらに備え、これらの２つの側部または各側部は翼が付いた形式であってよい。
【００１０】
各支持部材は、伝導性部材の翼付き部分に対応した側部を有することが好ましい。
【００１１】
さらに支持部材は、支持部材に接続している上記伝導性部材および基部を支持する支持部分を備え、これにより支持部分を基部に向け弾性的に変位できるようになる。支持部材は、基部に向けて延びている１つまたは２つの弾性部分を有することが好ましい。
【００１２】
弾性部分のいずれか一方または両方は、基部に面した中央空隙と窪みを有することができる。基部は、窪みと係合するよう配置された当接面を有することができる。かくして、当接面は基部から離れて弾性部分を付勢する。弾性部分は楕円形であることが好ましい。さらに、弾性部分は支持部材内で「ばね作用」をもたらす。
【００１３】
支持部材は、プラスチック材料により形成でき、支持部材を同様の支持部材と整列させる手段を備えることができる。記述した実施形態では、この整列手段はラグと、同様の支持部材の上記ラグを受け入れる、対応したスロットの形式との形式になっている。
【００１４】
さらにこの支持部材は、伝導性部材に接続するための手段を含んでいてよい。接続手段は爪形式になっていることが好ましい。あるいは、またはこれに加えて、伝導性部材は支持部材に接続するための手段を含んでいてよい。接続手段はクリップ形式であることが好ましい。
【００１５】
この装置は、複数の支持部材を受け入れるための細長いトレイを備えることが好ましい。このトレイは、各伝導性要素と電気接続できるよう、伝導性材料により形成されていてよい。
【００１６】
このトレイは複数の離間した弧状片を備えており、各弧状片は上記支持部材のスロット内に位置するよう配置されていることが好ましい。
【００１７】
本発明の第２の態様によれば、電力の入口を提供するために、電力供給分配装置の対応する導体と係合するよう配置された第１および第２電気接点を備え、接点は、導体から係合解除されるべく接点が位置される第１位置と、導体と係合するように接点が位置される第２位置との間で回転可能なアームの対向する両端部に配置されており、電力の出口を提供するよう配置された接続部材と、アームの回転に応じて、接点の１つを接続部材に対して接続または切断するように動作可能な切り換え装置とをさらに備える、電気コネクタが提供される。
【００１８】
こうして、切り換え装置に、接続部材と接点のうちの１つの間の接続を制御させることで、（接点が、これに対応する導体と係合するときに）接点とこれに対応する導体との間の「アーチング効果」がスイッチへ伝達される。
【００１９】
さらに電気コネクタは、上記接点を接続部材に対して接続または切断させるよう切り換え装置を作動させるための、アームの回転に応じて回転可能な作動部材を備えることが好ましい。作動部材は、アームが第２位置へ回転された後に、上記接点を接続部材と接続させるよう切り換え装置を作動させるように配置することができる。さらに、作動部材は、アームが第１位置へ回転される前に、上記接点を接続部材から切断するよう切り換え装置を作動させるようにも配置できる。
【００２０】
切り換え装置は、接点を接続部材から電気的に切断されるようレバーが配置された第１位置と、接点を接続部材と電気接続させるようレバーが配置された第２位置の間で移動可能な、レバーを備えることが好ましい。一般に切り換え装置は、レバーを２つの位置の間で移動させる手段をさらに備えており、この移動手段は作動手段によって作動されている。この移動手段は、プランジャと、プランジャに接続している揺動アームを含むことができ、プランジャはレバーと結合しており、揺動アームの動作に応じてレバーを２つの位置の間で強制的に移動させるよう配置されており、また、揺動アームは作動部材によって作動されるよう配置されている。
【００２１】
電気コネクタは、アームが第１位置にある際、またはアームが第２位置にあるときに、音声を生成する手段をさらに備えることができる。
【００２２】
接続部材は、電気プラグの雄部材を受け入れるよう配置された雌部材の形式であることが好ましい。あるいは、接続部材は電気ワイヤに接続されるよう配置されている。
【００２３】
一般に、接点は、２本の別個のアーム上に配置されている。
【００２４】
本発明の第３の態様によれば、電力の入口を提供するように電力供給分配装置の対応する導体と係合するよう配置された第１および第２電気接点を備えており、接点は、導体から係合解除されるよう接点が位置される第１位置と、導体と係合するよう接点が位置される第２位置との間で回転可能なアームの対向する両端に配置されており、電力の出口を提供するように配置された接続部材と、接点が電力供給分配装置の対応する導体と係合した後に、接点の１つを接続部材と接続するように動作可能な切り換え装置とをさらに備える、電気コネクタが提供される。
【００２５】
本発明の第４の態様によれば、電力の入口を提供するために、電力供給分配装置の対応する導体と係合するよう配置された第１および第２電気接点と、電力の出口を提供するよう配置された接続部材と、さらに、接点が電力供給分配装置の対応する導体と係合した後に、接点の１つを接続部材と接続するように動作可能な切り換え装置とを備える、電気コネクタが提供される。
【００２６】
次に、本発明の実施形態を、添付の図面を参照しながら例示として説明する。
【発明を実施するための最良の形態】
【００２７】
図１および図２を参照すると、本発明の装置の実施の形態の部材の一般図が示されている。この装置は、コンセントが設置される位置を選択し、かくして設けられ得るコンセントの位置および／または数の融通性を許容するための手段を設けている。トラックが、図１に示されており、このトラックは、各々がスロット１１０を有していて、ジョイント２００〜２６０および端コネクタ２８０、３００によって互いに接続された複数の同一トラック部分を備えている。コネクタ２００〜３００内には、後述の電力供給／接続ユニットが設けられており、これらの電力供給／接続ユニットは、全体としてのトラックを電気供給幹線に接続し、トラック部分１００間の電気連続性をもたらす。また、ジョイント２４０は、後述のように、トラックを通って延びているデータおよび／または通信ケーブルに対するインターフェースをなす。スロット１１０に沿った任意の点において、１つまたはそれ以上のコンセントコネクタ４００が、トラックに接続された電源と、各コネクタ４００に差し込まれるべき装置との間に供給接続をもたらすようにトラック部分１００と係合されてもよい。
【００２８】
図２ないし図６を参照すると、トラック部分１００がより詳細に示されており、このトラック部分１００は、押出し成形された細長いプラスチック基部１２０により形成された導管を備えており、このプラスチック基部１２０は、細長い円筒形導体１２６、１２８を受入れるための空洞１２２、１２４を有しており、各空洞１２２、１２４は、各導体１２６、１２８の側部にスナップ嵌め構成で係合するための弧状部分を備えている。形成部１３４、１３５、１３６、１３８、１３９、１４０を介して基部材１２０に留まっている第１および第２のカバー部材１３０、１３２もまた設けられている。これらのカバー部材１３０、１３２は、基部材１２０の部分１４２、１４４と共に、ケーブルランをなす細長い囲い体１４６、１４８を構成している。空洞１２２、１２４は、細長いスロット１１０を形成している開口部を有する中央空洞１５０において互いに合流している。カバー部材１３０、１３２は、スロット１１０用のカバーをなす細長い変形可能なプラスチックフラップ１５４を備えている。
【００２９】
可撓性で弾性の導電材料により形成されたアースばね１６０が、空洞１５０に設けられている。このアースばね１６０は、アースに接続可能であり、そして平らなシート状の中央部分１６２を有しており、翼１６４、１６６が、この部分１６２から離れる方向に弧状に突出している。各翼１６４、１６６は、図６に示されるように、部分１６２に個々に取付けられた複数の翼部材１６８、１７０に分割されている。翼１６４、１６６は、それらの端部を適所に保持する細長いスロット１７２、１７４に位置している。表面１６２は、スロット１１０をフラップ１５４のすぐ下で覆うために外方に突出している。更に、空洞１２２、１２４は、翼１６４、１６８の側部に係合してアースばね１６０の更なる支持をもたらす突出縁部１７６、１７８を有している。アースばね１６０は、図２に示される位置から、中央部分１６２が限界において基部１２０の突起１５２に当接するように下方に押し下げられる位置まで局部的に弾性変位可能である。この位置では、翼１６４、１６６の端部は、細長いスロット１７２、１７４に留まる。アースばね１６０は、この位置では、コンセントコネクタ４００による導体１２６、１２８への接近を許容する。
【００３０】
各部分１４２、１４４は、支持面へのトラック部分１００の固定を許容するために複数の開口部１４３を備えている。更に、基部は、後述のように、コネクタラグを受入れるための細長いチャンネル１８０、１８２を有している。
【００３１】
基部１２０およびカバー１３０、１３２は、押出し成形プラスチック材料、例えば、ＰＶＣまたはＰＰ（ポリプロピレン）により形成されている。フラップ１５４は、カバー１３０、１３２とともに同時押出し成形されており、同じ材料で形成されているが、硬さがより低い。円筒形導体１２６、１２８は、好ましくは、銅により形成されており、アースばね１６０は、導電性ばね材料、好ましくは、ベリリウム銅または含燐青銅のような合金により形成されている。
【００３２】
トラック部分１００の第２の実施の形態が、図７に示されている。これは、図１ないし図６を参照して説明したものとほぼ同様であり、同様な部分は、１０００を加えた同様な参照符号を有している。この実施の形態と先の図の実施の形態との本質的な相違は、プラスチック材料から押出し成形される代わりに、金属、好ましくはアルミニウムから押出し成形されている基部材１１８０に関する。各導体１１２６、１１２８が、第１の実施の形態と比較して形状がわずかに異なっている空洞１１８２、１１８４に細長い絶縁部材１１８６、１１８８を介して配置されている。これらの絶縁部材１１８６、１１８８は、ＰＶＣまたはＰＰから押出し成形されていて、１１９０、１１９２のところで丸く囲んで示された協働形成部により適所に保持されて空洞１１８２、１１８４にスナップ嵌めされている。絶縁部材１１８８は、部材１１８６が空洞１１８２から取り出されて、空洞１１８４に適所にスナップ嵌めされた状態で示されている。これらの絶縁部材１１８６、１１８８は、導体１１２６、１１２８を適所に保持する対向顎部を有している。使用の際、基部１１８０および空洞１１９２、１１９４を形成する金属押出し成形により、導体１１２６、１１２８とデータおよび遠距離通信ケーブルラン１１４６、１１４８と間にＥＭＩシールドをもたらす。このＥＭＩシールドは、導体のまわりに導電ループを形成するように点１１９４、１１９６のところで金属基部材１１８０に接触するアースばね１１６０の翼１１６４、１１６６により更に高められている。基部材１１８０は、好ましくは、アースばねと基部との組合せがアース保護をなすように、アースばね１１６０に代わってアースに接続される。
【００３３】
トラック部分１００の第３の好適な実施の形態が図７aに示されている。これは、第２の実施の形態とほぼ同様であり、同様な部分は、更に１０００を加えた同様な参照符号を有している。第２および第３の実施の形態間の主な相違は、好ましくはアルミニウムから押出し成形されている基部材２１８０の構造である。各導体２１２６、２１２８が、第２の実施の形態と比較して形状がわずかに異なる空洞２１８２、２１８４に、異なる形態である細長い絶縁部材２１８６、２１８８を介して配置されている。これらの絶縁部材２１８６、２１８８は、代表的には、第２の実施の形態の絶縁部材１１８６、１１８８と同じ材料で形成されていて、それらの夫々の協働溝２２０８、２２１０、２２１２、２２１４に係合する対向ラグ２２００、２２０２、２２０４、２２０６により適所に保持された空洞２１８２、２１８４に摩擦嵌めされている。各絶縁部材２１８６、２１８８は、細長い部分円筒形のチャンネル２２１６、２２１８を有しており、これらのチャンネルは、これらに導体２１２６、２１２８がすべり嵌めされるように、絶縁部材２１８６、２１８８の長さ方向に沿って延びている。突出縁部２１７６、２１７８は、先の実施の形態とは異なる形状になっており、この実施の形態では、これらの縁部２１７６、２１７８は、アースばね２１６０の弧状翼２１６４、２１６６に係合するようにカバー２１３０に向けて上方に湾曲されている。基部から延びているＴ字形突起２１５２もまた、端部で異なる形状になっている。使用の際、基部２１８０および空洞２１８２、２１８４を形成する金属押出し成形により、導体２１２６、２１２８と、第２の実施の形態と同様なデータおよび遠距離通信ケーブルラン２１４６、２１４８との間にＥＭＩシールドをもたらす。また、向上効果が、アースばね２１６０の翼２１６４、２１６６および夫々の接触点２１９３、２１９４、２１９５、２１９６により形成された導電ループにより与えられている。
【００３４】
更なる変形例では、本発明の第２および第３の実施の形態では、金属押出し成形に代わって、金属導電性フィルムを設けるプラスチック押出し成形が使用されてもよい。更なる変形例では、各ケーブルラン１４６、１４８の内面を覆う導電性ペイントまたはフィルムに対して、第１の実施の形態のプラスチック押出し成形が使用されてもよい。
【００３５】
図８および図９を参照して図２に示されるコンセントコネクタ４００を以下により詳細に説明する。このコネクタは、標準ＵＫ型の３ピンプラグ構成の開口部４１２、４１４、４１６を持つカバー４１０を有しているが、これと支持機構とが、任意の適当なプラグ／ソケット装置に交換されることができる。カバー４１０と基部４１８とは、一緒になってハウジングを形成している。基部４１８には、ほぼ円形の開口部４１９が形成されている。フランジ部材４２０が、スナップ嵌め受け具４２１により開口部４１９のリムに接触して適所に軸方向に保持されて開口部４１９に位置しているが、リムに対して回転可能である。このフランジ部材４２０は、それ自身、円形の開口部４２２を有しており、このフランジ部材４２０には、図９に最も良く示される半径方向内方に延びている接点保護部材４２４、４２６が設けられている。
【００３６】
電気接点取付け部材４３０が、開口部４２２にスナップ嵌めされている。この部材４３０は、大きな円筒形のフランジ４３４に連結された円筒形の支持部分４３２を有している。この支持部分４３２は、フランジ４３４が開口部の縁部により支持された状態で開口部４２２に位置している。支持部分４３２には、各端部に接点ホルダ４３６、４３８を備えている接点アーム４４１が接続されている。更に、この接点アーム４４１は、その回転軸線に対して片寄ってアームの長さの一部のみ延びている隆起部分４３５を備えている。図３に示されるように、第２の実施の形態では、空洞１２２、１２４は、各々、異なる長さの内方に突出している表面１５６、１５８を備えている。これらの表面１５６、１５８および突起４３５は、協働して、接点アーム４４１と導体１２６、１２８との接続の所望の極性が維持されるように一方向におけるアーム４４１の回転のみを許容し、他の方向の回転を許容しない。
【００３７】
図７aの第３の実施の形態では、アーム４４１の回転は、基部２１８０に対して異なる高さにある独特な形状の突出縁部２１７６、２１７８により１方向に制限されている。接点アーム４４１の厚さは、接点アーム４４１が１方向に回転することができるだけであって、下縁部２１７６によって他の方向に回転するのを防がれるように、一端部が他端部より厚くなるように（図示せず）なっている。
【００３８】
各電器接点ホルダ４３６、４３８は、フック形状のものであり、フックの尾部は、アーム４４１の残部に接続されており、頭部は、アームの残部から間隔を隔てられているが、アームの残部に向けて弾性的に変位可能である。アームの長さは、接点が導体１２６、１２８を備えて製造される場合、接点部分４３６、４３８が変形して加圧電気接触をもたらすように、すべり締り嵌めが存在するような程度のものである。
【００３９】
フランジ４３４は、ライブおよびニュトラル接点４４２、４４４を適所に保持する接点係合形成部４４０用のプラットホームをなす。各接点４４２、４４４は、夫々の開口部４１４１、４１６に挿通されると、すべり係合で幹線プラグのピンを受入れるように配置されている一対の対向アーム４４６、４４８を有している。これらのアーム４４６は、図９aに最も良く示されるように、接点の外側のまわりで支持部分４３６、４３８に係合する接点に一連の角部材を介して接続されている。
【００４０】
アース接続部４５４が、フランジ４３４から突出しており、このアース接続部４５は、コンセントコネクタ４００がスロット１５４に押し通されると、アースばね１６０と自由に電気接触をする。図７の実施の形態では、アースばねは、アース接続部４５４と、更なるアースシールドをなすアルミニウム基部材１１８０との間のブリッジをなす。
【００４１】
ソケット開口部４１４、４１６を閉じるためのシャッタ部材４６０が設けられている。このシャッタ部材４６０は、電気接点４４２、４４４のアーム４４６、４４８の上に位置してソケット４１４、４１６を閉塞している。このシャッタ部材４６０は、取付け形成部４４０の４つの直交ポスト４６６間に設けられているばね４６４内に受入れられるスピンドル４６２を有している。シャッタ部材４６０は、傾斜係合面４６８、４７０を有しており、これらの傾斜係合面４６８、４７０は、幹線プラグがソケット４１４１、４１６に挿通されると、シャッタ部材４６０を回転させたり、プラグピンの移動経路から押し離したりしてプラグピンをアーム４４６、４４８と係合させて電気接続を行なう。
【００４２】
組立てられると、アーム４４１は、開口部４２２を通って突出しており、そして接点４５０、４５２が保護部材４２４２、４２６により覆われ、コネクタ４００がトラック部分１００のスロット１５２に挿通される図９aに示される位置と、接点部材が保護部材４２４，４２６と直角になる時計方向に９０度回転した後の図９ｂに示される位置との間で回転可能である。この位置では、接点４５０、４５２は、導体１２６、１２８と係合し、保護部材４２４、４２６はスロット１１０に留まっていて、アースばね１６０を局部的に押し下げる。
【００４３】
部分断面図である図１０および図１１を参照して本発明の実施の形態の作動を以下に説明する。図１０では、コンセントコネクタ４００は、トラック部分１００に初めに挿入されたときの状態にあり（図３参照）、図１１では、コンセントコネクタ４００は、引き続き時計方向に回転されてトラック部分１００の導体に電気的に係合した状態である。コネクタ４００がトラックに係合する位置が、必要に応じて使用者により選択されることは理解されるであろう。この位置が選択されると、コネクタ４００は、保護部材４２４、４２６がスロット１１０と整合された図９aに示される位置に位置される。次いで、コネクタ４００は、アースばね１６０の付勢に抗してカバー１５４中に押し通されて、コネクタ４００の進入箇所でカバー１５４を押し下げる。ばねの付勢は、進入に対する抵抗をもたらし、そしてスロット内のコネクタの確かな位置の感覚を使用者に与える。アースばね１６０が可撓性材料により形成されているので、このばねは、コネクタ４００の進入箇所でのみ弾性的に変形し、そして適所に留まってほかのところでスロット１１０を覆う。次いで、カバー４１０は、十分に押し下げられると、９０度回転される。このカバーは、回転可能な部材４３０に接続されていて、アーム４３４を９０度回転させ、従って、このアーム４３４は、スロット１５２と一致する位置から、接点４５０、４５２が摺動係合で導体１２６、１２８に係合して導体１２６、１２８とアーム４４６、４４８との間の電気経路を与えるまで、アーム４３４が空洞１２２、１２４に入り込む位置へ移動する。回転方向は、コネクタが間違った方法で回転されると、片寄り突起４３５が表面１５８に当るので、コネクタがどうようにスロットに挿入されるかに依存している。正しい方法で回転されたときにのみ、突起１５３は突出面１５８に当らなく、かくして正しい導体への接点の接続をもたらす。この回転中、フランジ部材４２０は、適所に留まり、接点保護部材４２４、４２６はチャンネル内に保持される。導体１２６、１２８および隣接した空洞の側部とのアーム４４６、４４８の係合により、コンセントコネクタ４００を選択された位置において適所に係止する。すると、コネクタ４００は、任意の正常な電気コンセントにより使用され得る。
【００４４】
電気装置のトラック部分１００への接続を可能にするコンセントコネクタ４００の代わりとなるある応用形では、本装置を電気プラグに直接配線してトラック部分１００と直接接続させることができ、図１２はプラグ７５０の一実施形態の展開図を示す。プラグ７５０は、ハウジングを形成するカバー７５２と環状基部７５４を含む。カバー７５２は、カバー７５２を基部７５４から容易に外すことができる形で、ねじ切り穴７５８を通るねじ７５６を介して、基部７５４に取り付けられている。電源の「アース」電極、「ニュートラル」電極、「ライブ」電極用の３本の電気ワイヤ７６２、７６４、７６６を収納したケーブル７６０の一端は電気装置と接続し、他端はプラグ７５０と接続している。２つのエラストマ部材７６８が、プラグ７５０内のケーブル７６０の入口付近に配置されており、ケーブル７６０を弾性的に保持している。通常絶縁処理が施されている３本の電気ワイヤ７６２、７６４、７６６は、ある長さの銅部分を露出させるように剥離され、端末ねじ７７０ａ、７７２ａ、７７４ａを使用して対応する伝導性端末７７０、７７２、７７４に取り付けられている。これらの端末７７０、７７２、７７４は金属により形成されるため、各ワイヤ７６２、７６４、７６６を各端末７７０、７７２、７７４に電気接続し、円形取り付け部材７７６上に支持することができる。取り付け部材７７６は、取り付け部材７７６の縁に形成されているラグ７７８から支持された環状基部７５４の開口部内に位置している。プラグ７５０に接続された電気装置を損傷してしまう可能性のある過剰な電力供給を阻止するために、ヒューズ７８０が設けられている。取り付け部材７７６はさらに、端末７７０、７７２、７７４間に任意の短絡が生じる可能性を低減するために、基部７５４上に形成された絶縁性部分７８２を有する。取り付け部材７７６の他側部から接点アーム７８４が突出しており、この接点アームは、接点アームの対向した両端部にフック形状の支持部を設ける代わりに、弾性的に変位可能な半球形の接点または頭部９００’、９０２’を使用し、これは図１３でより明瞭に示されている。プラグ７５０はさらに係合面９２０’を有し、また、図１５に示すように、接点アーム７８４の異なる地点から係合面９２０’と頭部９００、９０２が突出している。図９ａに示したものと類似のスロット１１０にプラグ７５０が挿入されると、係合面９２０’がアースばね１６０の中央部分１６２に押し当り、（一例に示すように図７ａの実施形態を使用して）中央部分１６２を基部２１８０に向けて弾性的に付勢する。こうすることで、プラグ７５０のアースとアースピンの間に電気接触が形成される。
【００４５】
図１３を考慮すると、円筒形ホルダ９０４’、９０６’が端末７７０、７７２、７７４と（図示されないプラグ７５０のこれ以外の構成要素とともに）接続している様子を示している。次に、突出した頭部９００’、９０２’と表面９２０’が、それぞれ対応する端末７７０、７７２、７７４と電気接続している様子について記述する。
【００４６】
各ホルダ９０４’、９０６’は、一連の角度要素９３４、９３６によって、対応する「ニュートラル」端末７７０および「ライブ」端末７７４と接続した支持要素９３０、９３２上に配置されている。角度要素９３４、９３６の構造を、ホルダ９０４’、９０６’を省略した形で、異なる遠近法にて図１４に示す。この実施形態では、角度要素９３６は、短絡保護をもたらすヒューズ７８０を介して「ライブ」端末７７４に接続している。係合面９２０’は支持要素９３８上にも設けられ、角度要素９４０（図１４参照）を介してアース端末７７２と接続している。前述のように、組み立てると、ホルダ９０４’９０６’は各々の頭部９００’、９０２’と一緒に接点アーム７８４内に収容され、表面９２０’は接点アームから突出する。
【００４７】
図１２へ戻ると、基部７５４は、先述のコンセントコネクタ４００に使用されているものと類似のフランジ部材７９０を取り付けるための、端末７７０、７７２、７７４の各側に形成された半円形チャネル７８６、７８８を有する。フランジ部材７９０は、半円形チャネル７８６、７８８上にクリップ留めするスナップ嵌めコネクタ７９２を含むため、フランジ部材７９０を基部７５４に対して移動させることが可能になる。フランジ部材７９０は、取り付け部材７７６が環状基部７５４上に位置するときに、接点アーム７８４を挿通させるための円形開口部７９４を有する。コネクタ４００’と同様に、接点アーム７８４の両端は、内方へ延びた保護部材７９６、７９８で覆われている。この配置は図９ａ／図９ｂのコネクタ４００の配置と概念上類似し、また、図１５、図１６に示すように、接点アーム７８４は保護部材７９６、７９８に対して回転することができる。
【００４８】
トラック部分の第１実施形態を一例として使用することで、使用の際、プラグ７５０が、図１５に示すように接点アーム７８４が保護部材７９６、７９８と整列した状態で、所望の地点においてスロット１１０（図１、図３参照）内に挿入される。プラグ７５０がスロット１１０内に挿入されると、係合面９２０’が、アースばね１６０を基部１２０へ付勢しながら、これの中央部分１６２と係合する。ばね１６０の平らな部分１６２が基部１２０の突起１５２に触れるとばね限界に達する。次いで、接点アーム７８４が突出縁部１７６、１７８により回転されないようになっている保護部材７９６、７９８に対して直角になるように、プラグ７５０が９０度回転される。図１６に示される位置で、接点９００’、９０２’が２つの導体１２６、１２８と係合し、「ライブ」および「ニュートラル」極性を与えるためのそれぞれのワイヤ７６２、７６６と、２つの導体１２６、１２８との間に、電気接続が形成される。
【００４９】
提案されたようなプラグ７５０の使用により、使用者は、コンセントコネクタ４００と同様に、単純な「挿入および捻り」作用により、電気装置または器具をトラック部分１００に沿ったどこかに接続して、電力にアクセスすることができる。
【００５０】
図１７は、電源装置のトラック部分の第４実施形態の端部斜視図を示す。この実施形態は図７ａに示した第３実施形態と類似しており、類似部分には同様の参照符号に２０００を足した参照符号を付している。この実施形態と第３実施形態の主な違いは、プラスチック材料から押し出し成形されていることが好ましい基部４１８０の構造（これと図７ａの基部２１８０を比較する）に関連している。図１７、図１８に示すように、基部部材４１８０は、図７ａの先行の実施形態ではアースばね２１６０の形態をしている伝導性部材５１００の変化に適応するように適合されている。
【００５１】
第４の実施形態では、トラック部分１００の全長にわたる１つのアースばねの代わりに、電源装置は、モジュール式で、基部４１８０とカバー４１３０、４１３２の間に形成された空洞４１５０内に配置されている、複数の別個の伝導性部材５１００を含む。
【００５２】
図１９に示すように、各伝導性部材５１００はそれぞれの支持モジュール５２００上に支持され、また、細長い伝導性トレイ５３００上に集中的に配置されている。後で明白となるが、先行の応用形とは異なり、伝導性部材５１００は構造がモジュール式であり、その個々はコンセントコネクタ４００または電気プラグ７５０によって変位可能になっている。図２０は、図１９の配置を、別の部品を展開した状態で示している。次に、これら部品の各々について詳細に述べる。
【００５３】
アースと（トレイ５３００を介して）電気接続している各伝導性部材５１００は、可撓性で弾性的な伝導性材料により形成されている。各部材５１００は、中央部分５１０２から弓形に突起した翼５１０４、５１０６を設けた平らな中央部分５１０２を有する。各翼５１０４、５１０６の端部には、支持モジュール５２００上の対応する部分と一致するように内方へ湾曲したＣ字型の周縁５１０８、５１１０が設けられている。伝導性部材５１００はさらに、各翼５１０４、５１０６内に、翼の長さ方向に沿って形成された細長いスロット５１１２、５１１４を有する。中央部分５１０２の、２つの翼５１０４、５１０６の間の２つの側部に側部接続クリップ５１１６、５１１８が設けられ、これらのクリップ５１１６、５１１８は伝導性部材５１００を支持モジュール５２００と解除可能に接続するために使用される。
【００５４】
図２１から図２３は支持モジュールの拡大図であり、図２２はＸ方向からの端部図を示し、図２３は図２１のＹ方向からの他端部の端部図を示す。
【００５５】
支持モジュール５２００は、弾性的な構造をもたらすべく、可撓性プラスチック材料から押し出し成形されている。モジュール５２００は、支持部分５２０２と基部５２３５の間に中央空洞５２０１を有する。支持部分５２０２は、伝導性部材５１００を支持するよう適合されており、中央開口部５２０４を有する矩形の平らな部分５２０３を含む。支持部分５２０２はさらに、平らな部分５２０３の２つの側部から延び、伝導性部材５１００の各翼５１０４、５１０６とそれぞれ関連するよう適合された、２つの翼部分５２０６、５２０８を含む。各翼部分５２０６、５２０８は、伝導性部材５１００と似た形状の周縁５１０８、５１１０に対応するよう、端部にＣ字型の細長いリップ部５２３８、５２４０を有する。伝導性部材５１００の翼５１０４、５１０６と同様に、各翼部分５２０６、５２０８も細長い開口部５２１０、５２１２を有し、これら開口部の位置は翼５１０４、５１０６に形成されたスロット５１１２、５１１４に対応している。各々の細長い開口部５２１０、５２１２の下方端部には、伝導性部材５１００のスロット５１１２、５１１４内に配置された爪５２１４、５２１６が延びている。爪５２１４、５２１６は、伝導性部材５１００を支持モジュール５２００に解除可能に接続するよう角度付けされる。
【００５６】
支持モジュール５２００はさらに、離間し、平らな部分５２０３から下方へ延びた２つの側部５２１８、５２２０を有する。各側部５２１８、５２２０の内部には、伝導性部材５１００の接続クリップ５１１６、５１１８を受け入れるための矩形の空洞５２２２、５２２４が形成されている。各側部５１８０、５２２０は、中央空隙５２３０、５２３２を有する楕円形のローブ５２２６、５２２８にて終端している。各ローブ５２２６、５２２８の外周には、若干の弧状部分または窪み５２３４、５２３６が設けられているが、この目的は後に明白となる。
【００５７】
図２２に示すように、支持モジュール５２００の基部５２３５はトレイ５２００上に位置し、Ｃ字型リップ部５２３８、５２４０と一致する側壁５２３１、５２３３を有する。リップ部５２３８、５２４０は、伝導性部材のＣ字型の周縁５１０８、５１１０と一緒に組み立てたときに、これらの周縁と対応する形状を有する。
【００５８】
モジュール５２００の支持部分５２０２は翼部分５２０６、５２０８を備え、また、平らな部分５２０３は基部５２３５に対して弾性的に変位可能または移動可能である。基部５２３５に向かう力が平らな部分５２０３に付加されると、この付加された力に応じて平らな部分５２０３が弾性的に付勢され得るよう、翼部分５２０６、５２０８が側壁５２３１、５２３３を広げる。図２２、図２３に示すように、モジュール５２００は、空洞５２０１内に配置され基部５２３５の側壁から延びた２つの矩形の肩部５２４２、５２４４を有し、これらの肩部５２４２、５２４４は、頂部５２０２が基部５２３５に向かって変位した場合に開口部５２１０、５２１２を挿通して位置するよう配置されている。肩部５２４２、５２４４は、支持部分５２０２を基部に向けて変位するように使用されたコネクタに対して押し当るよう使用される。そのため、肩部５２４２、５２４４は、平らな部分５２０３へ発せられた力を緩和する係止部として作用する。さらに肩部５２４２、５２４４は、対応する開口部５２１０、５２１２内に位置されると、頂部５２０３にかかる力によって生じる支持部５２０２と基部５２３５の間の側方動作を緩和する。
【００５９】
モジュール５２００はさらに、空洞５２０１内に位置し、基部５２３５と接続した２つの案内要素５２４６、５２４８を含む。案内要素５２４６、５２４８は、平らな部分５２０３が基部５２３５に向けて付勢されたときに、２つのローブ５２２６、５２２８の間に配置されるよう、離間し、並んで配置されている。２つの弧状の突起５２５０、５２５２が案内要素５２４６、５２４８から対向する方向へ延びており、また、突起５２５０、５２５２の高さは、頂部５２０２が基部へ強制的に移動されることを抑制することでモジュール５２００への損傷を軽減するよう、弾性ローブ５２２６、５２２８の対応する弧５２３４、５２３６に押し当てるよう適合されている。弾性ローブ５２２６、５２２８はさらに、部分５２０３にかかる力が除去されたときに、部分５２０３を基部５２３５から離れた場所へと付勢する動作の補助となる。そのため、ローブ５２２６、５２２８は、支持部材５２００の弾性構造全体によりもたらされる別の「ばね」作用内に「ばね」作用をもたらす。
【００６０】
図２１のモジュール５２００の底面図である図２４に示すように、基部５２３５内の２つの案内要素５２４６、５２４８の間には細長い穴５２５３が形成されており、穴５２５３はモジュール５２００をトレイ５３００上に配置するために使用される。
【００６１】
モジュール５２００を同様なモジュールと整列させるために、モジュール５２００は、基部５２３５付近におけるモジュール５２００の２つの角から延びている２つの角度付けしたラグ５２５４、５２５６を有する。基部５２３５付近におけるモジュール５２００の対向する角には、これらに対応した、別のモジュール５２００の角度付けしたラグ５２５４、５２５６を受け入れるよう適合されたラグスロット５２５８、５２６０が設けられている。図２４に、ラグ５２５４、５２５６とスロット５２５８、５２６０の配置を示す。２つのモジュール５２００を一緒に整列させるには、第２モジュールの角度付けしたラグ５２５４、５２５６が第１モジュールのラグスロット５２５８、５２６０内に配置されている。
【００６２】
トレイ５３００に関しては、図２５において斜視図として、また図２５において端面図として図示されている。トレイ５３００は伝導性材料により形成され、モジュール５２００を受け入れるべく使用される。トレイ５３００は、湾曲形状に切断および型押しした、トレイ５３００の内方に向かって弧を形成する複数の離間した細片５３０２を有する。トレイの側壁５３０４、５３０６はモジュール５２００の側壁５２３１、５２３３と合致するよう成形されており、また、トレイ５３００の側壁の端部には、モジュールの湾曲したリップ部５２３８、５２４０（全てが共に配置されるときには、さらに伝導性部材）と係合するためのＣ字型の周縁５３０８、５３１０が設けられている。細片５３０２同士の間の空間は、細片５３０２がモジュール５２００の細長い穴５２５３内部に位置できるよう配置されている。
【００６３】
これらの部品を組み立てるためには、まず、Ｃ字型周縁５１０８、５１１０をモジュールのそれぞれ対応する湾曲部分５２３８、５２４０上で、中央部分５１０２を平らな部分５２０３上で整列させ、爪５２１４、５２１６を細長スロット５１１２、５１１４に引っ掛けることで、伝導性部材５１００を支持モジュール５２００上に配置する。さらに、側部クリップ５１１６、５１１８をモジュール５２００の矩形空洞５２２２、５２２４にクリップ留めする。各伝導性部材５１００はモジュール５２００上に独立して配置され、次に、ラグ５２５４、５２５６を同一のモジュールの対応するスロット５２５８、５２６０内に滑入させることで、モジュール５２００同士が整列される。最終的に、一列のモジュール５２００と対応する伝導性部材５１００が形成される。これが終わると、この列が、モジュール５２００の対応する細長い穴５２５３内に配置された弧状細片５３０２と一緒にトレイ５３００内に配置される。モジュール５２００がトレイ内に挿入されるとトレイ５３００の側壁が付勢開放されるため、Ｃ字型周縁５３０８、５３１０が伝導性部材５１００のＣ字型周縁５１０８、５１１０、モジュールの湾曲部分５２３８、５２４０と係合することができる。トレイ５３００は伝導性材料により形成されるため、各伝導性要素５２００は、Ｃ字型周縁５３０８、５３１０を介してトレイと電気接続する。トレイ５３００がアースと電気接続している場合には、各伝導性部材５１００も同様に接続する。構成要素をトレイ５３００内で組み立てるときに、伝導性部材５１００とこれに対応する支持部材５２００が、組み立てた構成要素をトラック部分内に挿入できるよう、工具を用いて押下される。
【００６４】
伝導性部材５１００を支持モジュール５２００上に配置する際、これらの伝導性部材５１００の各々はコネクタ４００またはプラグ７５０によって独立的に変位可能であり、また、図２７は４つの伝導性部材５１００と、コネクタ４００またはプラグ７５０によって変位されている、対応する支持モジュール５２００とを示す。図２８は、４つの伝導性要素５１００と支持モジュール５２００の変位を示す、図２７のトレイの側面図を示している。
【００６５】
次に、支持部材５１００を変位させるための図１５のプラグ７５０の使用について記述する。先に説明したように、図１５に示す配置内のプラグ７５０は、（図１８の実施形態を一例として使用して）接点アーム７８４と保護部材７９６、７９８をスロット４１５４に挿通させることで、トラック部分１００と接続している。接点アーム７８４と保護部材７９６、７９８の細長い配置は、４つの伝導性部材５１００’および対応する支持モジュール５２００’（この「’」は、プラグ７５０により変位されている伝導性部材および支持モジュールを示す）に、伝導性部材５１００の１つと接触している係合面９２０’によって押し当られる。プラグ７５０をトラック部分１００に固定するために、プラグ７５０が図２９に示すように９０度回転される。端部保護部材７９６、７９８は、変位された伝導性部材５１００’の２つを押下し続け、回転された接点アーム７８４は中央の２つの伝導性部材５１００’を押下する。半球形の接点頭部９００’、９０２’が、対応する「ライブ」導体４１２６および「ニュートラル」導体４１２８と電気的に接触する。係合面９２０’が伝導性部材５１００の１つと接触していることにより、アース接続が形成される。
【００６６】
図２９の配置をより詳細に示すために、トラック部分１００のいくつかの構成要素を取り除いた状態の簡略化した図を図３０に示す。さらに図３１は、接点アーム７８４と保護部材７９６、７９８が係合位置にあるプラグ７５０にて４つの伝導性部材５１００を変位させる様子をより明瞭に示すために、図３０の配置を斜視図にて示す。第１モジュール５２００（図３１に示すラグ５２５４、５２５６を具備したモジュール）は変位されておらず、また、したがって図２９は押し縮められていない状態の伝導性要素５１００を示している点に留意されたい。
【００６７】
伝導性部材５１００がモジュール式になっていることで、任意の部材５１００とこれに対応するモジュール５２００を交換し、機能させることが容易になる。各伝導性部材５１００は別個に支持されているため、これらの各々をプラグ７５０によって独立的に変位されることができる。これは、図３１に示すように変位されないプラグと伝導性部材５１００の間の隙間を「ゼロ」にするための補助となる。このようにして、トラック部分の安全面が改善される。
【００６８】
伝導性部材５１００は、別個の支持モジュール５２００を設ける必要をなくすために、図３２に示す可撓性の伝導性部材５５００のような別の適切な形態であってもよい。
【００６９】
伝導性部材５５００は１枚のステンレス鋼片から製造され、所望の形状に型押しされる。伝導性部材５５００は、伝導性部材５５００の底面斜視図である図３３に示すスチールキャップを形成するように、表面５５０２の下で内方へ折り畳まれた２つの側部５５０４、５５０６を具備した平らで矩形の当接面５５０２を有する。さらに、側部５５０４、５５０６の間に、表面５５０２を支持するための２本の側部脚５５０８、５５１０が対向する２方向へ延びている。各々の側部脚５５０８、５５１０は、図３４により詳細に示すように、付勢またはばね作用をもたらすべく表面５５０２を弾性的に支持するために、内方へ湾曲している。各脚５５０８、５５１０の端部には、図２５の細長い支持トレイ５３００の応用形である、支持トレイ５６００に形成された対応するスロット内に位置するよう配置された平らなラグ５５１２、５５１４が設けられている。
【００７０】
図３５は、伝導性を有し、トラック部分１００の全長にわたる細長い形状をした支持トレイ５６００の斜視図である。図に示すように、支持トレイ５６００は、図２５の支持トレイ５３００と機能上類似しているが、しかし、伝導性部材５５００を受け入れるよう適合されている。トレイ５６００は側壁５６０２、５６０４と、等間隔で離間した多数の上昇した分割器５６０６を有し、また、分割器５６０６の対の間には、伝導性部材５５００を受け入れるよう配置された空洞５６０８が設けられている。支持トレイ５６００はさらに、側壁５６０２、５６０４に沿って形成され、伝導性部材５５００のラグ５５１２、５５１４を受け入れるよう配置された細長いスロット５６１０の対を有する。
【００７１】
図３６は、トラック部分内のトレイ５６００の配置を容易化するために曲げ縁５６１６、５６１８を具備した側壁５６０２、５６０４を示す、トレイ５６００の端面図である。
【００７２】
次に、トレイ５６００上およびトラック部分内に設けられた伝導性部材５５００の組み立て品について説明する。
【００７３】
図３７は、図２７と類似の方法により変位されている状態で示された３つの伝導性部材５５００と一緒に、トレイ５６００上に組み立てられた複数の伝導性部材５５００を示す。図３８は、伝導性部材５５００の２つの位置を示す（矢印ＡＡで示す）、図３７の組み立て品の端面図である。第１位置では、伝導性部材５５００は、伸張した脚５５０８、５５１０で示すように押下されておらず、また、ラグ５５１２、５５１４は対応するスロット５６１０内に受け入れられ、その先端が下方に向いている。図２９に示したもののようなプラグ７５０の接点アーム７８４を使用して伝導性部材５５００を係合させる場合には（通常、これらのうちいくつかは接点アーム７８４によって係合される）、当接面５５０２’は、図３８に示す圧縮位置にある脚５５０８’、５５１０’と一緒に第２位置へ沈む（各参照符号の終わりに素数符号を使用して、各部分の位置の変化を示す）。第２位置にあるラグ５５１２’、５５１４’は図に示すように側方に向いている。
【００７４】
ラグ５５１２、５５１４の２つの位置により、伝導性部材５５００のトレイ５６００からの偶然の滑落が軽減し、さらにこれにより、伝導性部材５５００をトレイ５６００に容易に固定する方法がもたらされる。
【００７５】
組み立てられると、伝導性部材５５００とトレイ５６００が、図３９に示すように電源装置のトラック部分内に配置される。トラック部分は図１７および図１８に示したものと類似しており、類似部分には同様の参照符号に２０００を足した参照符号を付している。この応用形と図１７の実施形態との主な違いは基部６１８０の構造に関連しており、またこの応用形は、離間し、フラップ６１５４に向けて上方へ突出した２本のアーム６３００、６３０２を有する。各アーム６３００、６３０２の自由端６３０４、６３０６は相互に向かい内方に屈曲しており、その内部に作成された空洞６３０８は、図５４に示すように基部構造６１８０を電気的にアースする接地部材６６００を受け入れるために使用される。
【００７６】
接地部材６６００は、空洞６３０８に挿入するよう配置された延長アーム６６０２を有する。さらに、ねじ６６０４を使用して、各アーム６３００、６３０２の２つの自由端６３０４、６３０６を係合することで、図５５に示すように延長アーム６６０２内のねじ切り穴６６０３を介して接地部材６６００をトラック部分に堅固に結合でき、さらに、延長アーム６６０２を２本のアーム６３００、６３０２と電気接続させることができる。他端において、接地部材６６００は、電気アースに接続した少なくとも１本の電気ワイヤ（図示せず）を受け入れるよう配置された２つの孔６６０６、６６０８を有し、このワイヤはさらに２本のねじ６６１０の一方を用いて適所に固定されている。電気ワイヤは接続されると延長アーム６６０２と電気接続し、かくして基部構造６１８０がアースされる。
【００７７】
基部部材６１８０とカバー６１３０、６１３２の間に形成された空洞６１５０は、伝導性部材５５００と支持トレイ５６００を収容するよう異なる形状をしている。後に理解されるように、トレイ５６００は基部６１８０と電気接続しているため、各伝導性部材５５００も電気的に接地される。
【００７８】
図４０はトラック部分内における伝導性部材５５００の付勢動作を示しており、これは図３７で説明したものと類似する（伝導性部材５５００を係合するためのプラグ７５０は示していない）。
【００７９】
図３２に示した応用形における伝導性部材５５００は支持モジュール５２００を設ける必要性がないため、製造が容易で、製造コストを低減することができる。
【００８０】
図１２の電力プラグ７５０のさらなる応用形を図４１に示すが、類似部分には同様の参照符号に６０００を足した参照符号を付している。図１３を参照すると、突出した接点頭部９００’、９０２’は、角度要素９３４、９３６を介して端末７７０、７７４と直接接続していることがわかる。これは、プラグ７５０が回転され、頭部９００’、９０２’が対応する「ライブ」導体６１２６および「ニュートラル」導体６１２８と係合し（図３９の実施形態を一例として使用する）、頭部９００’、９０２’とこれに対応する導体６１２６、６１２８の間に望ましくない「湾曲」作用が生じてしまう可能性があることを意味する。この作用を軽減するために、図４１に示した応用形は、頭部６９００’、６９０２’が対応する導体６１２６、６１２８と係合した後に、「回路」を選択的に閉鎖するスイッチ７０００を有する。
【００８１】
図４１では、カバー６７５２（図示せず）が取り除かれて、プラグ６７５０の内部部品が露出している。３つの伝導性端末６７７０、６７７２、６７７４は電気の出口として機能し、また、電気機器からの電気ワイヤを受け入れるべく使用され、ヒューズ６７８０は先行の実施形態と類似した過電流を防止するように配置されている。さらに、半円形チャネル６７８６、６７８８が基部６７５４の円周部付近に形成されている。チャネル６７８６、６７８８により、図１２に示したものと類似のフランジ部材６７９０の取り付けが可能になる。しかし、フランジ部材６７９０は、対応するスナップ嵌め爪６７９２付近に形成された作動部材６７９３、６７９５を含み、各作動部材６７９３、６７９５は、図４１に示すようにチャネル６７８６、６７８８から突出している。作動部材６７９３（この場合）の１つを使用して、スイッチ７０００を、「オン」「オフ」切り換えを行うべく制御する。
【００８２】
スイッチ７０００は、接点６９０２’を端末６７７４と電気的につなぐべく使用される細長いレバー７００２を備える。レバー７００２は、外層に銀を使用した銅被覆により形成されることが好ましい。レバー７００２は、２つの端部７００４、７００６を有し、また、旋回部材７００８によって一方の端部７００４の付近で旋回されることにより、プランジャ７０１０によって作動されたときに、シーソー効果を生じる。プランジャ７０１０はばね機構７０１２によって付勢され、また、チャネル６７８６の１つと一緒に動く作動部材６７９３の経路に沿って配置されたＣ字型の揺動アーム７０１４の動作に応じて移動する。
【００８３】
旋回部材７００８は伝導性であり、図４１ａに示すように突出頭部６９０２’のうちの１つと電気接続している。
【００８４】
図４１は、「オフ」状態、つまり旋回部材７００８が、ヒューズ６７８０の一端と接続している伝導性接触面７０１６から電気絶縁している状態にある、スイッチ７０００を示す。図４３は、旋回部材７００８におけるスイッチ７０００の近接配置を示す。プランジャ７０１０は、作動すると、レバー７００２に沿って他端７００６に向けて摺動し、プランジャ７０１０が旋回地点を越えると、レバー７００２の他端７００６が接触面７０１６に押し当り、かくしてスイッチ７０００が「オン」になる。これを図４２、さらに図４４に示す。
【００８５】
したがって、スイッチ７０００が「オフ」位置にある場合にはレバー７００２は上昇している、つまり端部７００６は接触面７０１６と接触せず、そのため電気はヒューズ６７８０に流れない。一方、レバーの端部７００６が接触面６９１６と接触している、つまりスイッチが「オン」位置にある場合には、電気がヒューズ６７８０に流れる。
【００８６】
次に、作動部材６７９３を使用してプランジャ７０１０の動作を制御する方法について詳細に説明する。
【００８７】
プラグ６７５０をトラック部分内に挿入するために、図１５に示すようにアーム６７８４を保護部材６７９６、６７９８と整列させる。作動部材６７９３、６７９５は、図４１に示すそれぞれ関連した開始位置にある。アーム６７８４は、トラック部分に挿入された後に伝導性部材５５００を押下し（図３７に示す実施形態を一例として使用する）、プラグ６７５０が回転されるのに従い、フランジ６７９０、さらにアーム６７８４が、保護部材６７９６、６７９８に関連して同心的に動作する。このフランジ６７９０の動作が、作動部材６７９３を、図４５の矢印ＢＢで示すようにスイッチ７０００の揺動アーム７０１４へと移動させ、図４５では、揺動アーム７０１４をより明瞭に示すためにプランジャ７０１０を排除している。一般に、アーム６７８４が保護部材６７９６、６７９８の主軸に対して約８０度の角度をなす場合に、頭部６９００’、６９０２’は対応する導体６１２６、６１２８と係合する。スイッチ７０００を具備していない先行の実施形態では、ほぼこの時点で電気が端末７７０と７７４（図１３）の間を流れ始めるが、しかしこの応用形では、スイッチ７００はまだ「オフ」位置にあるため端末６７７０、６７７４の間に電気は流れない。
【００８８】
プラグ６７５０がさらに回転し、アーム６７８４が保護部材６７９６、６７９８の主軸に対して約８７度の角度をなすと、図４６に示すように作動部材６７９３が揺動アーム７０１４内に受け入れられる。プラグ６７５０がさらに回転すると、揺動アーム７０１４が、図４７に示す位置へ強制的に揺動せしめられ、プランジャ７０１０がレバー７００２を横断してさらに摺動することで、スイッチ７０００が図４２に示す「オン」位置へと移動され、かくして「ライブ」端末６７７０と「ニュートラル」端末６７７４の間に電気が流れる。この位置では、図１６に示すように、アーム６７８４は保護部材６７９６、６７９８に対して約９０度をなしている。
【００８９】
スイッチ７０００を使用することで、接点頭部６９００’、６９０２’による導体６１２６、６１２８の係合の間に遅延がもたらされ、端末６７７０、６７７４に電気が流れる。これにより、接点頭部６９００’、６９０２’と導体６１２６、６１２８の間の湾曲作用がスイッチ７０００へ伝達され、また、プランジャ７０１０がレバー７００２を強制移動させたときに、生じた瞬時の接続によって、湾曲作用が最小限に抑えられる。
【００９０】
プラグ６７５０がトラック部分から切断するように反対方向へ回転されると、接点頭部６９００’、６９０２’と導体６１２６、６１２８の間の接触と比較して、まず最初にレバー７００２が接触面７０１６との接触から「外れる」。フランジ６７９０が基部６７５４に関連して矢印ＢＢの反対方向に回転されると、作動部材６７９３が揺動アーム７０１４を反対方向へ「揺動」させて、図４６に示す位置へ戻す。この動作により、プランジャ７０１０が、端部７００４へとレバー７００２に沿って摺動させるように揺動し、これによりレバーの他端７００６が上昇して、旋回部材７００８が接触面７０１６から隔離され、電流の流れが停止する。この時点で、接点頭部６９００’、６９０２’はまだ導体６１２６、６１２８と係合した状態であるが、既に電気は断たれている。さらに、プラグ６７５０の回転により、作動部材６７９３が揺動アーム７０１４から係合解除され、この係合解除状態が、作動部材６７９３が再びその開始位置へ戻るまで、つまりアーム６７８４が保護部材６７９６、６７９８と図１５に示すように整列するまで、継続される。
【００９１】
そのため、接点頭部６９００’、６９０２’が導体６１２６、６１２８から係合解除される前に、スイッチ７０００が電気の流れを断ち、接点頭部６９００、６９０２’と導体６１２６、６１２８の間のアーチング効果が阻止される。
【００９２】
この応用形では、プラグ６７５０はさらに、スイッチ７０００が「オン」位置にあるときに、揺動アーム７０１４の一部分に押し当り、また、スイッチ７０００が「オフ」位置にあるときに、レバー７００２の一部分に押し当るよう配置された、Ｌ字型係止部７０１８を含む。これらの各々を図４７、図４５にそれぞれ示す。係止部７０１８は、揺動アーム７０１４およびレバー７００２の動作を制御するように機能する。プラグ６７５０はさらに、スイッチ７０００を被覆するスイッチカバー７０２０を設けており、かくして、図４８に示すようにばね機構７０１２がさらに固定される。
【００９３】
さらに、プラグ６７５０は、図４１に示すように作動部材６７９３の開始位置付近に形成されたクリック装置７０３０の形式の音声生成装置を含む。クリック装置７０３０は、基部６７５４上に形成された２つの支持要素７０３６周囲に配置された端部７０３４と一緒に、突出中央部分７０３２を形成するよう適合された、１枚の弾性金属片を含む。突出中央部分７０３２はスナップ嵌め爪６７９２の１つによって係合されることで、爪６７９２が突出部分７０３２へ移動するときに、は常に「カチッ」という音を生成する。
【００９４】
さらに、スイッチ７０００を図２のコンセントコネクタ４００内に提供するよう適合することができ、また、図４９はコネクタ６４００の応用形の端面図を示す。類似部分には同様の参照符号に６０００を足した参照符号を付している。コンセントコネクタ６４００は、先にコネクタ４００に関連して記載したものと類似の基部６４１８と支持機構を有する。コネクタ６４００はさらに、英国タイプの３本ピン式電気プラグを受け入れるよう配置された雌部材６４４６、６４４８、６４５４を有する。図５０および図５１は、接点頭部６９００’’から雌部材６４４６の１つへの電気の流れを制御するために、スイッチ７０００’を使用する様子を示す（プラグ６７５０で使用されているスイッチ７０００と区別するためであるが、両方は概して類似している）。
【００９５】
図５０に示すように、「オフ」状態にて、接点頭部６９００’’は雌部材６４４６から電気的に隔離されており、また電気接続はスイッチ７０００’によって制御される。さらに、プランジャ７０１０’を強制的に動作させるために揺動アーム７０１４’と係合するように、作動部材６７９３’がフランジ部材６４２０内に設けられている。レバー７００２’はこのようにして、図５０に示す「オフ」位置と図５１、図５２に示す「オン」位置との間で変化する、プランジャ７０１０’の位置に応じて移動する。「オン」位置にて、雌部材６４４６を接点頭部６９００’と（さらに、導体６１２６、６１２８と）電気接続させるために、レバー７００２’は接触面７０１６’と接触している。
【００９６】
プラグ６７５０と同様に、スイッチカバー７０２０’も、図５３に示すようにスイッチ７０００’を被覆し、ばね機構７０１２’を固定するために使用できる。さらに、アーム６４４１が整列したときを使用者に知らせる音声を生成することで、コネクタ６４００をトラック部分から係合解除できるようにするために、クリック装置７０３０’（図４９参照）もコネクタ６４００内に同様に設けることができる。先述した実施形態は制限として解釈されるべきではない。支持モジュール５２００内において、ラグ５２５４、５２５６は同様な支持モジュール同士を整列させるために使用されているが、しかし、基部５２３５付近に接続手段が在り、支持部分５２０２の付勢を干渉しないのであれば、接続手段をこのために使用することも可能である。
【００９７】
図３１では、プラグ７５０は、４つの伝導性部材５１００と支持モジュール５２００を変位させるものとして示されている。この例に限られる必要はなく、また設計によっては、プラグ７５０および／または伝導性部材５１００および／また支持モジュール５２００を、伝導性部材５１００をプラグ７５０によって幾分変位可能となるように適合できることが明白であろう。
【００９８】
支持部材５２００は、これ以外にも、スチールキャップ（伝導性部材５１００）を支持する弾性ばねコイルのような適当な形式であってよい。さらに、支持部材５２００を具備した伝導性部材５１００を、スロット４１５４を遮断する「シャッター」として使用し、保護フラップの必要性を排除してもよい。
【００９９】
支持部材５２００によって弾性的に支持された伝導性部材５１００を有することが好ましいが、しかし、図５のアースばね１６０をモジュール式化することで、アースばね１６０を、図７ａに示したものと類似の導管の一部分によってそれぞれ支持された個々の伝導性部材に分割することができるため、これは絶対的に必要というものではない。
【０１００】
機械的スイッチ７０００の代わりに、対応する導体と係合している接点頭部同士の間に必要な遅延をもたらすため、また、電気を流すべく接続がなされるときに、は、他の適当な形式のスイッチ、あるいは、電気または電子遅延のような遅延も考えられる。
【０１０１】
さらにスイッチ７０００を、電源分配装置との使用に適した他形式の電源コネクタに採用して、コネクタの接点頭部が対応する電流伝送導体と係合した後に電気が自動的に流れるようにすることもできる。したがって、回転動作だけでなく、接触頭部の他形式の動作も考えられる。
【０１０２】
記述した実施形態では、クリック装置７０３０、７０３０’は、コネクタまたはプラグの接点頭部が「係合解除」位置にある場合に音声を生成するよう配置されているが、しかし、クリック装置７０３０、７０３０’を、接点頭部が導体との係合位置にある場合に音声を生成するよう配置することも可能であると考えられる。
【０１０３】
記述したトラック部分の実施形態は、特に、固定された電力供給分配装置として使用できるが、この場合は、図１に示すトラック部分とコネクタの組み合わせが例えば壁または可動仕切りまたは家具製品のような適当な支持面と接続した状態になければならない。しかし、１つのトラック部分が２つの端部コネクタを設け、１つの端部コネクタが自由端に適当なプラグを有するケーブルに、通常の延長ケーブルの方法で接続した状態において、記述した実施形態を、例えば延長ケーブルとして可動方式にて使用することもできる。次いで、必要に応じ、１つ以上のコンセントコネクタをトラック部分に取り付けることができる。
【０１０４】
同時係属のＰＣＴ出願第ＰＣＴ／ＳＧ０３／００１００号を参照したが、これの内容は参照してここに組み込まれる。
【図面の簡単な説明】
【０１０５】
【図１】本発明の電力供給装置の第１実施形態によるトラックの３次元図である。
【図２】図１の実施形態のトラック部分の拡大図であり、トラック部分に接続したコンセントコネクタを示す図である。
【図３】図２の矢印Ａの方向にあるトラック部分の図である。
【図４】図２のトラック部分の底部３次元図である。
【図５】図２のトラック部分の一部分を示す展開斜視図である。
【図６】図５のアースばねの底部図である。
【図７】図３に示すものと類似し、本発明の第２実施形態を形成しているトラック部分の断面図である。
【図７ａ】図７に示し、本発明の第３実施形態を形成しているトラック部分の、第２実施形態の応用形の断面図である。
【図８】図２に示したコンセントコネクタの展開斜視図である。
【図９ａ】コネクタがトラック部分のスロット内に挿入された第１位置にある状態を示す、図８のコネクタの組み立て図である。
【図９ｂ】コネクタが電気導体と係合している第２位置にあり、トラック部分のアースばねも示されているコネクタの類似図である。
【図１０】図９ａのトラック部分およびコンセントコネクタの部分断面斜視図であり、この場合、コネクタはトラック部分内に挿入された状態にある。
【図１１】トラック部分の電気導体と係合するように回転されたコンセントコネクタを示す、図１０の類似図である。
【図１２】図８のコンセントコネクタを使用せずに、図１のトラック部分に直接接続するように使用できる電気プラグを示す図である。
【図１３】図１２の電気プラグの内部構造の斜視図である。
【図１４】図１２の電気プラグの内部構造の斜視図である。
【図１５】図１２の電気プラグの底部斜視図であり、２つの保護部材で被覆された端部を設けた接点アームを示す図である。
【図１６】接点アームを回転させた状態にある、図１５と同一の図である。
【図１７】異なる伝導性部材をアースばねとして含むトラック部分のさらなる実施形態の断面図である。
【図１８】異なる伝導性部材をアースばねとして含むトラック部分のさらなる実施形態の断面図である。
【図１９】それぞれの支持モジュールによって支持され、支持トレイ内に組み立てられている、図１７の伝導性部材の好ましい一実施形態を示す図である。
【図２０】図１９の組み立て品の展開図である。
【図２１】図２０の支持モジュールの図である。
【図２２】図２０の支持モジュールの図である。
【図２３】図２０の支持モジュールの図である。
【図２４】図２０の支持モジュールの図である。
【図２５】図１９の複数の伝導性部材を受け入れるよう配置された支持トレイの図である。
【図２６】図１９の複数の伝導性部材を受け入れるよう配置された支持トレイの図である。
【図２７】図１９の組み立て品の斜視図であり、４つの支持モジュールが変位されている状態を示す図である。
【図２８】図２７の組み立て品の側面図である。
【図２９】トラック部分内の導体へのアクセスを得るべく、図２７の伝導性部材および支持部材を変位するために、図１５の電気プラグが使用される様子を示す図である。
【図３０】トラック部分のいくつかの構成要素を取り除いた状態の、図２９の配置の簡略図である。
【図３１】図３０の斜視図である。
【図３２】図１９の伝導性部材の応用形の斜視図である。
【図３３】図３２の伝導性部材の底面斜視図である。
【図３４】図３２の伝導性部材の端面図である。
【図３５】図３２の伝導性部材を受け入れるよう適合されている、図２５の支持トレイの応用形の斜視図である。
【図３６】図３５の支持トレイの端面図である。
【図３７】図３５のトレイ上に組み立てられた、図３２の複数の伝導性部材を示す図である。
【図３８】伝導性部材がトレイ内に受け入れられた様子を示す、図３７の組み立て品の端面図である。
【図３９】図３８の組み立て品がトラック部分内に配置されている様子を示す図である。
【図４０】図３８の組み立て品がトラック部分内に配置されている様子を示す図である。
【図４１】「オフ」位置にあるスイッチを含む、図１２の電気プラグの応用形を示す図である。
【図４１ａ】図４１のスイッチの一部分による接点頭部への接続を示す図である。
【図４２】スイッチが「オン」位置にある、図４１の電気プラグを示す図である。
【図４３】図４１のスイッチ位置の接近図である。
【図４４】図４２のスイッチ位置の接近図である。
【図４５】図４１のスイッチを作動させる作動部材の動作を示す図である。
【図４６】図４１のスイッチを作動させる作動部材の動作を示す図である。
【図４７】図４１のスイッチを作動させる作動部材の動作を示す図である。
【図４８】スイッチカバーを含む、図４１のプラグの斜視図である。
【図４９】図４１に示したものと類似の「オフ」位置にあるスイッチを含む、図２のコンセントコネクタの応用形を示す図である。
【図５０】図４９のスイッチの接近図であり、スイッチが雌部材に接続している様子を示す図である。
【図５１】図４９のスイッチの接近図であり、スイッチが接点頭部に接続している様子を示す図である。
【図５２】「オン」位置にあるスイッチを設けた、図４９のコネクタを示す図である。
【図５３】スイッチカバーを含む、図４９のコネクタを示す図である。
【図５４】図３９のトラック部分を接地する接地部材を示す図である。
【図５５】図５４の接地部材に接続している、図３９のトラック部分の斜視図である。
【図１】
2007503088.tif 000003
【図２】
2007503088.tif 000004
【図３】
2007503088.tif 000005
【図４】
2007503088.tif 000006
【図５】
2007503088.tif 000007
【図６】
2007503088.tif 000008
【図７】
2007503088.tif 000009
【図７ａ】
2007503088.tif 000010
【図８】
2007503088.tif 000011
【図９ａ】
2007503088.tif 000012
【図９ｂ】
2007503088.tif 000013
【図１０】
2007503088.tif 000014
【図１１】
2007503088.tif 000015
【図１２】
2007503088.tif 000016
【図１３】
2007503088.tif 000017
【図１４】
2007503088.tif 000018
【図１５】
2007503088.tif 000019
【図１６】
2007503088.tif 000020
【図１７】
2007503088.tif 000021
【図１８】
2007503088.tif 000022
【図１９】
2007503088.tif 000023
【図２０】
2007503088.tif 000024
【図２１】
2007503088.tif 000025
【図２２】
2007503088.tif 000026
【図２３】
2007503088.tif 000027
【図２４】
2007503088.tif 000028
【図２５】
2007503088.tif 000029
【図２６】
2007503088.tif 000030
【図２７】
2007503088.tif 000031
【図２８】
2007503088.tif 000032
【図２９】
2007503088.tif 000033
【図３０】
2007503088.tif 000034
【図３１】
2007503088.tif 000035
【図３２】
2007503088.tif 000036
【図３３】
2007503088.tif 000037
【図３４】
2007503088.tif 000038
【図３５】
2007503088.tif 000039
【図３６】
2007503088.tif 000040
【図３７】
2007503088.tif 000041
【図３８】
2007503088.tif 000042
【図３９】
2007503088.tif 000043
【図４０】
2007503088.tif 000044
【図４１】
2007503088.tif 000045
【図４１ａ】
2007503088.tif 000046
【図４２】
2007503088.tif 000047
【図４３】
2007503088.tif 000048
【図４４】
2007503088.tif 000049
【図４５】
2007503088.tif 000050
【図４６】
2007503088.tif 000051
【図４７】
2007503088.tif 000052
【図４８】
2007503088.tif 000053
【図４９】
2007503088.tif 000054
【図５０】
2007503088.tif 000055
【図５１】
2007503088.tif 000056
【図５２】
2007503088.tif 000057
【図５３】
2007503088.tif 000058
【図５４】
2007503088.tif 000059
【図５５】
2007503088.tif 000060
【国際調査報告】
2007503088.tif 000061
2007503088.tif 000062
2007503088.tif 000063